(57)【要約】【課題】容易に操作可能な電子機器の提供。【解決手段】本実施形態に係る電子機器は、接続部と、接続部に回動可能に接続された第１筐体と、第１筐体に設けられた第１表示部と、第１表示部を覆った、タッチ操作を検出する第１検出部を含む透光性の第１透光部と、接続部に回動可能に接続された第２筐体と、第２筐体に設けられた第２表示部と、第２表示部を覆った、タッチ操作を検出する第２検出部を含む透光性の第２透光部とを備え、第１透光部の表面と第２透光部の表面とは、第１筐体及び第２筐体が開いた位置にある場合に略同一平面において並ぶ。【選択図】  図１
2012212230.tif 000002
【特許請求の範囲】
【請求項１】
接続部と、
前記接続部に回動可能に接続された第１筐体と、
前記第１筐体に設けられた第１表示部と、
前記第１表示部を覆った、タッチ操作を検出する第１検出部を含む透光性の第１透光部と、
前記接続部に回動可能に接続された第２筐体と、
前記第２筐体に設けられた第２表示部と、
前記第２表示部を覆った、タッチ操作を検出する第２検出部を含む透光性の第２透光部と
を備え、
前記第１透光部の表面と前記第２透光部の表面とは、前記第１筐体及び前記第２筐体が開いた位置にある場合に略同一平面において並ぶ、電子機器。
【請求項２】
前記第１検出部は、前記第１筐体及び前記第２筐体が開いた位置にある場合に、前記第２検出部から所定の距離内に位置する、請求項１記載の電子機器。
【請求項３】
前記第１筐体は、前記接続部に対して第１軸部周りに回動可能に接続され、
前記第２筐体は、前記接続部に対して前記第１軸部と平行な第２軸部周りに回動可能に接続された、請求項２記載の電子機器。
【請求項４】
前記第１検出部が第１範囲に対するタッチ操作を検出している場合に、前記第２検出部が前記第１範囲に近接する第２範囲に対するタッチ操作を検出すると、所定の処理を実行する実行手段を更に備える、請求項２記載の電子機器。
【請求項５】
前記実行手段は、前記第１範囲及び前記第２範囲のサイズに応じた前記所定の処理を実行する、請求項４記載の電子機器。
【請求項６】
前記実行手段は、前記第１範囲及び前記第２範囲のサイズが所定の閾値以上であるか否かに応じて異なる前記所定の処理を実行する、請求項５記載の電子機器。
【請求項７】
前記実行手段は、前記第１範囲及び前記第２範囲のサイズの比に応じた前記所定の処理を実行する、請求項５記載の電子機器。
【請求項８】
前記実行手段は、前記第１表示部及び前記第２表示部のうち少なくとも一方に所定の画像を表示させる前記所定の処理を実行する、請求項４記載の電子機器。
【請求項９】
前記接続部の表面は、前記第１筐体及び前記第２筐体が開いた位置にある場合に、前記第１透光部の表面と略同一平面に位置する、請求項３記載の電子機器。
【請求項１０】
前記接続部は、前記表面側に操作入力を受け付ける入力部を含む、請求項９記載の電子機器。
【発明の詳細な説明】
【技術分野】
【０００１】
本発明の実施形態は電子機器に関する。
【背景技術】
【０００２】
夫々表示パネルを備えた２筐体をヒンジ等により接続した２画面のコンピュータがある。また、表示パネルにタッチ操作を検出するタッチパネルを設け、表示パネルに表示した画像に対するユーザからの操作を受ける技術がある。
【先行技術文献】
【特許文献】
【０００３】
【特許文献１】特開２００９−１０２９０１号公報
【発明の概要】
【発明が解決しようとする課題】
【０００４】
ここで、上記のような２画面コンピュータをユーザが操作する場合、当該操作がユーザにとって容易であることが好ましい。
そこで本発明の実施形態は、容易に操作可能な電子機器の提供を目的とする。
【課題を解決するための手段】
【０００５】
上記の課題を解決するために、本実施形態に係る電子機器は、接続部と、接続部に回動可能に接続された第１筐体と、第１筐体に設けられた第１表示部と、第１表示部を覆った、タッチ操作を検出する第１検出部を含む透光性の第１透光部と、接続部に回動可能に接続された第２筐体と、第２筐体に設けられた第２表示部と、第２表示部を覆った、タッチ操作を検出する第２検出部を含む透光性の第２透光部とを備え、第１透光部の表面と第２透光部の表面とは、第１筐体及び第２筐体が開いた位置にある場合に略同一平面において並ぶ。
【図面の簡単な説明】
【０００６】
【図１】実施形態に係るコンピュータの外観例を示す図。
【図２】実施形態に係るコンピュータのシステム構成例を示す図。
【図３】実施形態に係るコンピュータの機能ブロック例を示す図。
【図４】実施形態に係るコンピュータによる操作入力処理例を示す図。
【図５】実施形態に係るコンピュータによる操作入力処理例を示す図。
【図６】実施形態に係るコンピュータによるによる操作入力処理に係る処理フロー例を示す図。
【図７】実施形態に係るコンピュータによるによる操作入力処理に係る処理フロー例を示す図。
【発明を実施するための形態】
【０００７】
以下、図面を参照して実施形態を説明する。
図１は、実施形態に係る電子機器の例を示す図である。本実施形態に係る電子機器は、例えば折畳み型のコンピュータ１００として実現される。コンピュータ１００は、第１筐体１１０、第２筐体１２０、接続部１３０、第１表示パネル１５０、第１タッチパネル１７０、第２表示パネル１６０、第２タッチパネル１８０等を備える。
【０００８】
ここで第１筐体１１０と第２筐体１２０とは接続部１３０を介して接続されている。即ち、第１筐体１１０と接続部１３０とは軸３０１ａを軸とする軸部３３０ａを介して回動可能に接続され、第２筐体１２０と接続部１３０とは軸３０１ｂを軸とする軸部３３０ｂを介して回動可能に接続される。また、第１筐体１１０は接続部１４０に対して軸３０１ａを軸とする軸部３３０ｃを介して回動可能に接続され、第２筐体１２０は接続部１４０に対して軸３０１ｂを軸とする軸部３３０ｄを介して回動可能に接続される。
【０００９】
第１表示パネル１５０は第１筐体１１０に設けられる。ここで第１表示パネル１５０は、第１筐体１１０において、第１筐体１１０及び第２筐体１２０が閉じた場合、即ち図１（Ａ）に示す場合に第２筐体１２０に対向する側の面に設けられる。第１タッチパネル１７０は第１表示パネル１５０上に重ねて設けられる。そして第１表示パネル１５０は画像を表示し、第１タッチパネル１７０は、第１表示パネル１５０に表示された画像に対するコンピュータ１００外からのタッチ操作入力を検出して受け付ける。また第２表示パネル１６０は、第２筐体１２０の、第１筐体１１０及び第２筐体１２０が閉じた場合に第１筐体１１０に対向する側の面に設けられる。第２タッチパネル１８０は第２表示パネル１６０上に重ねて設けられる。そして第２表示パネル１６０は画像を表示し、第２タッチパネル１８０は、第２表示パネル１６０に表示された画像に対するコンピュータ１００外からのタッチ操作入力を検出して受け付ける。
【００１０】
また、第１筐体１１０には、コンピュータ１００に対する電源ＯＮ／ＯＦＦ操作を受ける電源ボタン２１０と操作ボタン２１１とが設けられる。第２筐体１２０には操作ボタン２１２が設けられる。そして接続部１３０の表面１３０ａ側には、軸部３３０ａ及び３３０ｂの間に対応する位置に、ユーザ操作を受け付ける操作ダイアル２１３が設けられる。なお操作ダイアル２１３は、例えば左右の何れかの方向に対する操作及び押し込み操作を検出する。
【００１１】
第１筐体１１０及び第２筐体１２０は、接続部１３０に対して様々な角度の状態をとることができる。例えば図１（Ａ）に示すように、第１筐体１１０及び第２筐体１２０を閉じた状態（閉状態）や、図１（Ｂ）に示すように、第１筐体１１０と第２筐体１２０とが接続部１３０に対して開き、第１表示パネル１５０及び第２表示パネル１６０が外部に露出する方向に設けられたパネル部材が略同一平面に連なる状態（開状態）をとることができる。
【００１２】
図１（Ｃ）は、図１（Ｂ）のＭ−Ｍ´断面におけるコンピュータ１００の断面構造例を示す図である。第１表示パネル１５０及び第２表示パネル１６０の外部側（露出側）には、透光性の第１タッチパネル１７０及び第２タッチパネル１８０が設けられており、また、第１タッチパネル１７０及び第２タッチパネル１８０の外部側には、透光性のパネル１９０及び２００が重なって設けられる。つまり表示パネル１５０及び１６０は、タッチパネルを含む透光性のパネルにより覆われている。なお、表示パネル１５０及び１６０は、必ずしも剛性のある一般的なディスプレイモジュールでなくともよく、例えばフレキシブルなシートディスプレイであってもよい。また同様に、表示パネル１５０及び１６０を覆う透光性部材についても例えば透光性シートのようなフレキシブル部材であってもよい。そして透光性パネル１９０の表面１９０ａと透光性パネル２００の表面２００ａとは、第１筐体１１０と第２筐体１２０とが開いた状態の場合に、空間を隔てて略同一平面で連なって並ぶ（隣り合う）、あるいは略同一平面で接することが好ましい。
【００１３】
そして第１表示パネル１５０及び第２表示パネル１６０は、当該開状態の場合に、当該パネルの端部１５０ａと端部１６０ａとが互いに所定距離以内に近接することが好ましい。そして第１タッチパネル１７０及び第２タッチパネル１８０についても、当該開状態の場合に、端部１７０ａと端部１８０ａとが所定距離以内に近接することが好ましい。なお、ここで所定距離とは、例えば、開状態の場合に少なくとも第１タッチパネル１７０及び第２タッチパネル１８０の両方に対してユーザの一本の指で共にタッチ操作可能な距離、つまり指が平面に触れた場合の接触面の幅（例えば１ｃｍ程度）以下の距離を指すが、好ましくは、更に近接していることがよい。
【００１４】
また、１本の指で第１タッチパネル１７０及び第２タッチパネル１８０に共にタッチ操作するためには、第１筐体１１０と第２筐体１２０とが開いた状態の場合において、透光性パネル１９０の表面１９０ａと透光性パネル２００の表面２００ａとの間に、ユーザによる両タッチパネルへのタッチ操作を阻害する突出部材がないことが好ましい。即ち表面１９０ａと表面２００ａとが空間を隔てて近接することが好ましい。又は、突出部材が設けられている場合であっても、突出部材がユーザのタッチ操作に影響を及ぼさない程度に低いことが好ましい。更に、接続部１３０についても、コンピュータ１００が開いた状態において、接続部１３０の表面１３０ａが表面１９０ａ及び表面２００ａと略同一の平面に位置していれば、ユーザ操作の妨げとなることを抑制できる。しかし当該表面１３０ａは、コンピュータ１００が開いた状態において表面１９０ａ及び表面２００ａが位置する平面の上下３ｍｍ程度以下の位置にあれば良い。
【００１５】
次に図２を参照してコンピュータ１００のシステム構成例を説明する。コンピュータ１００は、ＣＰＵ２０１、ノースブリッジ２０２、主メモリ２０３、ＧＰＵ２０４、サウスブリッジ２０５、ＢＩＯＳ−ＲＯＭ２０６、ＨＤＤ２０７、エンベデッドコントローラ（ＥＣ）２０８、タッチパネルコントローラ２０９、電源ボタン２１０、操作ダイアル２１３、第１表示パネル１５０、第１タッチパネル１７０、第２表示パネル１６０、第２タッチパネル１８０等を備える。
【００１６】
ＣＰＵ２０１は、コンピュータ１００の動作を制御する機能を有する。ここでＣＰＵ２０１は、オペレーティングシステム（ＯＳ）２２０、表示制御プログラム４００等の各種プログラムを主メモリ２０３に読み出して実行する。なお表示制御プログラム４００については図３乃至図７を参照して後述する。
【００１７】
ノースブリッジ２０２は、ＣＰＵ２０１とサウスブリッジ２０５とを接続するブリッジデバイスである。また、ノースブリッジ２０２には、主メモリ２０３を制御するメモリコントローラが内蔵されている。さらにノースブリッジ２０２はＧＰＵ２０４との通信機能を有し、ＣＰＵ２０１からの指示に応じた画像処理をＧＰＵ２０４に実行させる。
【００１８】
ＧＰＵ２０４は、コンピュータ１００の表示部である第１表示パネル１５０及び第２表示パネル１６０の表示コントローラとして動作する。ＧＰＵ２０４は、ＣＰＵ２０１から入力された映像データを、表示パネル１５０及び１６０等の表示デバイスで表示可能な形式の映像信号に変換して、当該映像信号を表示パネル１５０及び１６０に出力する。そして表示パネル１５０及び１６０は、ＧＰＵ２０４からの出力された映像信号に従って映像を表示する。
【００１９】
サウスブリッジ２０５は、ＰＣＩ（Ｐｅｒｉｐｈｅｒａｌ  Ｃｏｍｐｏｎｅｎｔ  Ｉｎｔｅｒｃｏｎｎｅｃｔ）バス上の各デバイスおよびＬＰＣ（Ｌｏｗ  Ｐｉｎ  Ｃｏｕｎｔ）バス上の各種デバイスの制御部として機能する。またサウスブリッジ２０５には、ＢＩＯＳ−ＲＯＭ２０６、ＨＤＤ２０７等が接続される。そしてサウスブリッジ２０５は、ＨＤＤ２０７を制御するＩＤＥ（Ｉｎｔｅｇｒａｔｅｄ  Ｄｒｉｖｅ  Ｅｌｅｃｔｒｏｎｉｃｓ）コントローラを内蔵している。
【００２０】
ＢＩＯＳ−ＲＯＭ２０６は、コンピュータ１００のハードウェアを制御するためのプログラムであるＢＩＯＳ（Ｂａｓｉｃ  Ｉｎｐｕｔ／Ｏｕｔｐｕｔ  Ｓｙｓｔｅｍ）を格納する。ＨＤＤ２０７は、オペレーティングシステム（ＯＳ）２２０や、表示制御プログラム４００等の各種プログラムを記憶する記憶媒体である。またＨＤＤ２０７は、写真等の画像データを格納する。
【００２１】
ＥＣ２０８は、ＬＰＣバスを介してサウスブリッジ２０５に接続される。ＥＣ２０８は、第１タッチパネル１７０や第２タッチパネル１８０を制御するタッチパネルコントローラ２０９と、電源ボタン２１０及び操作ダイアル２１３等の操作入力受付モジュールを制御するコントローラ（不図示）とを備える。ここで、第１タッチパネル１７０、第２タッチパネル１８０、電源ボタン２１０、及び操作ダイアル２１３は、コンピュータ１００外からの各種操作入力を受け付ける。なお第１タッチパネル１７０及び第２タッチパネル１８０の各々は、例えば抵抗膜方式または静電容量方式等を用いて、タッチパネル上のタッチ領域（タッチ位置）を検出するように構成されている。そしてＥＣ２０８は、それらの操作入力信号をＣＰＵ２０１に出力する。
【００２２】
次に図３を参照して、表示制御プログラム４００の機能構成を説明する。表示制御プログラム４００は、領域判別部４０１、制御部４０２、ＧＵＩ生成部４０３等の機能ブロックを備える。
【００２３】
領域判別部４０１には、タッチパネルコントローラ２０９からタッチ領域情報が入力される。ここでタッチ領域情報は、第１タッチパネル１７０及び第２タッチパネル１８０の夫々が検出したタッチ領域（タッチ位置、タッチ範囲）を示す座標データを含む。領域判別部４０１は、当該タッチ領域情報に基づいて、第１タッチパネル１７０及び第２タッチパネル１８０の何れの領域（位置）が操作入力（タッチ操作）を受けたかを判別する。また領域判別部４０１は、タッチ操作の座標が連続的に移動した場合、即ち第１タッチパネル１７０及び第２タッチパネル１８０がなぞるように操作を受けた場合、当該タッチ操作をなぞり操作として検出する。
【００２４】
また領域判別部４０１は、第１タッチパネル１７０及び第２タッチパネル１８０における所定の領域（範囲）内に対するなぞり操作を受けた場合に、当該なぞり操作によるタッチ領域の移動のベクトルをベクトル情報として制御部４０２に出力する。すなわち領域判別部４０１は、第１タッチパネル１７０及び第２タッチパネル１８０における所定の領域（範囲）内をタッチパッド領域として処理することが可能である。また領域判別部４０１は、第１タッチパネル１７０及び第２タッチパネル１８０の何れが操作を受けたかを判別して、何れのパネルが操作を受けたかを示すパネル判別情報を制御部４０２に通知する。
【００２５】
さらに領域判別部４０１は、第１タッチパネル１７０と第２タッチパネル１８０とが共にタッチ操作を受けている場合であって、当該２つのタッチパネル夫々におけるタッチ操作のタッチ領域が互いに近接している場合、当該近接の旨を制御部４０２に通知する。
【００２６】
また領域判別部４０１は、例えばコンピュータ１００が電子書籍コンテンツの表示等の電子書籍コンテンツに関する処理を実行している場合に、第１タッチパネル１７０及び第２タッチパネル１８０の一方から他方へ移動するなぞり操作を受けた場合に、第１タッチパネル１７０及び第２タッチパネル１８０夫々における当該なぞり操作のタッチ領域の面積を示す面積情報を制御部４０２に出力する。
【００２７】
制御部４０２は、領域判別部４０１から入力された情報に応じた処理を実行する。制御部４０２は、例えば領域判別部４０１からベクトル情報が入力されると、当該ベクトル情報が示す移動の方向に対してカーソル画像を移動させた画面の生成をＧＵＩ生成部４０３に指示する。
【００２８】
また制御部４０２は、パネル判別情報が示すパネルに応じて、所謂右クリック処理と左クリック処理とを実行する。つまり、タッチ操作が左パネル（ここでは例えば第１タッチパネル１７０）に対する操作であり、当該操作のタッチ領域が移動することなく所定時間内に検出されなくなった場合、制御部４０２は左クリック処理を実行する。なお左クリック処理において制御部４０２は、例えばカーソル画像が対応する位置に表示されているアイコン画像やプルダウンメニューの画像等を選択・決定する。そして制御部４０２は、当該選択・決定に応じた画像の生成をＧＵＩ生成部４０３に指示する。また制御部４０２は、左クリック処理を所定時間内に連続して実行することにより、アイコン等に対応するアプリケーションを実行する。
【００２９】
また制御部４０２は、タッチ操作が右パネル（ここでは例えば第２タッチパネル１８０）に対する操作であり、当該操作のタッチ領域が移動することなく所定時間内に検出されなくなった場合、右クリック処理を実行する。なお右クリック処理において制御部４０２は、例えばカーソル画像が対応する位置に表示されているアイコン画像に対して実行可能な処理を示すメニュー画像をＧＵＩ生成部４０３に生成させる。
【００３０】
また制御部４０２は、タッチ操作が第１タッチパネル１７０と第２タッチパネル１８０との両方に対する操作であって、当該夫々の操作が近接している場合、所定の処理を実行する。ここで制御部４０２は、当該両タッチパネルの操作が近接している場合であって、当該操作がなぞり操作である場合、ＧＵＩ生成部４０３に例えば画面の上下方向へのスクロール表示又は画面の拡大／縮小表示を指示する。更に制御部４０２は、両タッチパネルをなぞり続ける操作を受けた場合一方制御部４０２は、両タッチパネルが受けた操作が移動することなく所定時間内に両タッチパネルから離れた場合、例えば決定処理を実行する。なお決定処理とは、例えばデスクトップ画面において、カーソル画像が対応する位置に表示されているアイコン画像に対応するアプリケーションを実行させる処理等である。
【００３１】
また制御部４０２は、例えば電子書籍コンテンツに係る処理を実行している場合にパネル判別情報が入力されると、当該パネル判別情報が示すパネルに応じたページ画面の生成をＧＵＩ処理部４０３に指示する。更に制御部４０２は、面積情報が入力されると当該面積情報に応じてページめくり処理を実行し、当該処理に応じた画像の生成をＧＵＩ生成部４０３に指示する。
【００３２】
そしてＧＵＩ生成部４０３は、制御部４０２からの指示に応じた画像（画面）を生成し、生成した画像のデータをＧＰＵ２０４に出力し、生成された画像は表示パネル１５０及び１６０に表示される。
【００３３】
なお、上記に示した表示制御プログラム４００の処理例はあくまで例であり、上記以外の処理を否定するものではない。即ち表示制御プログラム４００は、第１タッチパネル１７０及び第２タッチパネル１８０のどちらのタッチパネルがどの領域にタッチを受けているか、当該タッチの領域が移動しているか、当該両タッチパネルの互いに近接する領域が操作を受けているか、等に応じて所定の処理を実行するものであれば良い。
【００３４】
次に図４を参照して、コンピュータ１００がタッチ操作を受けた場合の処理例を説明する。図４（Ａ）は、表示パネル１５０及び１６０が表示する画面例を示す図である。ここで表示パネル１５０及び１６０は、デスクトップ画面Ｐ１０及びＰ２０を表示している。そして画面Ｐ１０にはアイコン画像Ｐ１１が、画面Ｐ２０には操作対象を選択・決定するためのカーソル画像Ｐ２１が配置されている。
【００３５】
ここで、領域判別部４０１は、例えば所定領域（範囲）領域の領域Ｂ１０及びＢ２０を、タッチパッドとして機能させる領域として処理する。つまり、第２表示パネル１６０がカーソル画像Ｐ２１をＡ１の位置に表示している場合に、第２タッチパネル１８０が領域（範囲）Ｄ１に対するタッチ操作を受け、当該タッチ操作がなぞり操作であると、表示パネル１５０及び１６０は当該なぞり操作に応じた位置にカーソル画像を移動させて表示する。
【００３６】
なお領域Ｂ１０及びＢ２０は、ユーザが図４（Ａ）に示したように片手でコンピュータ１００を把持した場合に、当該ユーザの指が届く領域（範囲）にあることが好ましい。即ち、例えば領域Ｂ１０は、第１タッチパネル１７０の端部１７０ａ及び当該端部１７０ａに対して直角の端部１７０ｂまで広がる領域に位置していることが好ましい。また領域Ｂ２０は、第２タッチパネル１８０の端部１８０ａ及び当該端部１８０ａに対して直角の端部１８０ｂまで広がる領域に位置していることが好ましい。
【００３７】
また、少なくとも、ユーザにより直接タッチされる部分、即ち領域Ｂ１０を覆う表面１９０ａと領域Ｂ２０を覆う表面２００ａとは、空間を隔てて近接することが好ましい。又は、突出部材が設けられている場合であっても、当該表面の間の突出部材がユーザのタッチ操作に影響を及ぼさない程度に低いことが好ましい。
【００３８】
ここで、Ｄ１に対するタッチ操作のタッチ領域が軌跡Ｄ１２上を移動して領域Ｄ１１まで到達した場合、表示パネル１５０及び１６０は、当該軌跡Ｄ１２に対応した軌跡Ａ３に沿って位置Ａ２までカーソル画像を移動させる画面を表示する。
【００３９】
そして、カーソル画像Ｐ２１がアイコン画像Ｐ１１に対応する位置Ａ２に表示されている場合の処理について図４（Ｂ）を参照して説明する。カーソル画像Ｐ２１が位置Ａ２にある場合に第１タッチパネル１７０が領域Ｄ２に対するタッチ操作を受けると、制御部４０２は当該タッチ操作を左クリック処理として処理し、アイコン画像Ｐ１１を選択する。
【００４０】
また、カーソル画像Ｐ２１が位置Ａ２にある場合に領域Ｄ３に対するタッチ操作を受けた場合、制御部４０２は右クリック処理を行い、アイコン画像Ｐ１１又は当該画像が対応するアプリケーションに対して実行可能な選択肢のメニューを表示する。
【００４１】
また、領域Ｄ４に対する操作を受けた場合、即ち第１タッチパネル１７０と第２タッチパネル１８０とが、互いに近接する領域にタッチ操作を受けた場合、制御部４０２は例えば決定処理を実行して、アイコン画像Ｐ１１に対応するアプリケーションを実行する。
【００４２】
なおコンピュータ１００は、例えば操作ボタン２１１に対する操作入力を受けた場合に当該操作を左クリック処理として処理しても良い。同様に操作ボタン２１２に対する操作入力に応じて右クリック処理を、操作ダイアル２１３に対する押し込み操作を受けた場合に決定処理を行っても良い。
【００４３】
またコンピュータ１００は、第１タッチパネル１７０の領域Ｂ３０に対するタッチ操作を受けた場合に左クリック処理を、第２タッチパネル１８０の領域Ｂ４０に対するタッチ操作を受けた場合に右クリック処理を実行しても良い。そしてこの場合に領域判別部４０１は、領域Ｂ１０及びＢ２０をタッチパッド領域として処理しなくともよい。
【００４４】
図４（Ｃ）及び（Ｄ）を参照して、コンピュータ１００による他の処理例を説明する。タッチパネル１７０及び１８０は、領域Ｄ５から領域Ｄ５１までのなぞり操作を受けた場合、即ちタッチパネル１７０及び１８０が、互いに近接する領域をなぞる操作を受けた場合、制御部４０２は例えば画面スクロール処理を行う。つまり当該操作の際に表示パネル１５０及び１６０は、画像を上下方向に移動させて表示する。
【００４５】
また制御部４０２は、タッチパネル１７０及び１８０が互いに近接する領域をなぞる操作を受けた場合であっても、当該なぞり操作のタッチ領域の面積やタッチパネルの所定方向（例えばＹ方向）に対する長さが所定の閾値以上である場合は、例えば画面の拡大／縮小処理を実行する。そして制御部４０２は、なぞり操作がなぞる方向によって拡大と縮小とを切り替える。つまり制御部４０２は、両タッチパネルに対するタッチ操作の領域（範囲）のサイズに関するパラメータに応じて、スクロール処理と拡大／表示処理をと切り替える。
【００４６】
図４（Ｅ）を参照して、第１タッチパネル１７０と第２タッチパネル１８０とが共にタッチ操作を受けた場合に、領域判別部４０１が当該タッチ操作を互いに近接する操作として判別する処理の例を説明する。ここで、タッチパネル１７０及び１８０が領域Ｄ７に対するタッチ操作を受けているとする。第１タッチパネル１７０は領域Ｄ７ａにタッチ操作受けている。領域判別部４０１は、領域Ｄ７ａのうち、第１タッチパネル１７０の端部において最もＹ座標値が大きな位置Ｒ１の座標値Ｙ１を検出する。ここで、当該第２タッチパネル１８０の第１タッチパネル１７０側の端部において、Ｙ１の座標値を有する位置は位置Ｒ１である。そして領域判別部４０１は、位置Ｒ２からの距離内の領域Ｒ３内に対するタッチ操作を受けている場合、当該タッチ操作と第１タッチパネル１７０に対するタッチ操作とを、互いに近接するタッチ操作として判別する。
【００４７】
なお、コンピュータ１００は、領域Ｂ１０及びＢ２０や、領域Ｂ３０及びＢ４０の領域（範囲）を示す画像を表示しても良い。
次に図５を参照して、コンピュータ１００による操作入力処理の他の例を説明する。図５（Ａ）乃至（Ｃ）は、コンピュータ１００が例えば電子書籍コンテンツを表示する場合の画面例である。
【００４８】
図５（Ａ）は、第１表示パネル１５０は画面Ｐ３０を、第２表示パネル１６０は画面Ｐ４０を表示している状態を示す。ここで第１タッチパネル１７０が所定の領域Ｂ５０に対するタッチ操作を受けると、表示パネル１５０及び１６０は、図５（Ｂ）に示すような電子書籍コンテンツの次ページ画面を表示する。また、第２タッチパネル１８０が所定の領域Ｂ６０に対するタッチ操作を受けると、表示パネル１５０及び１６０は、電子書籍コンテンツの次ページ画面（不図示）を表示する。なお、領域Ｂ５０及びＢ６０の夫々は、タッチパネル１７０及び１８０において、他のタッチパネル側の端部まで位置する領域であるとする。
【００４９】
図５（Ｃ）は、コンピュータ１００による電子書籍コンテンツのページめくり処理における画面例を示す。なおコンピュータ１００は、例えばタッチパネル１７０及び１８０が、一方のタッチパネルから他方のタッチパネルに向かって移動するなぞり操作を受けた場合にページめくり処理を実行する。当該ページめくり処理において、第１表示パネル１５０はめくり途中のページの画面Ｐ７０を表示する。画面Ｐ７０は、めくり処理前に表示されていた画面Ｐ３０の一部Ｐ３０ａと、めくり処理後に表示する次ページの画面Ｐ５０及びＰ６０の一部Ｐ５０ａとＰ６０ａとを含む。
【００５０】
図５（Ｄ）を参照して、ページめくり処理における表示制御プログラム４００の処理例を説明する。まず第１タッチパネル１７０が領域Ｄ１０に対するタッチ操作を受けたとする。そして当該操作が第１タッチパネル１７０上をなぞり、第２タッチパネル１８０に触れると、領域判別部４０１は、当該タッチ操作のタッチパネル１７０及び１８０夫々におけるタッチ領域の面積を判別する。そしてＧＵＩ生成部４０３は、タッチパネル１７０及び１８０の面積比に応じためくり量の画面を生成する。つまりＧＵＩ生成部４０３は、第２タッチパネル１８０のタッチ領域の面積比が高くなるほど、めくり処理により次に表示されるページの画像の面積を広くした画面を生成する。なお領域判別部４０１は、必ずしもタッチ領域の面積比を判別しなくともよく、例えばタッチ領域の幅（図４（Ｅ）におけるＸ座標の幅）の比を判別しても良い。つまり、少なくとも両タッチパネルに対するタッチ操作の領域（範囲）のサイズに関するパラメータの比を判別すればよい。
【００５１】
次に図６を参照して、コンピュータ１００による操作入力処理に係る処理フロー例を説明する。
まず、領域判別部４０１は、タッチパネル１７０及び１８０の少なくとも一方に対するタッチ操作を受けると（Ｓ６０１のＹｅｓ）、当該タッチ操作が所定領域内に対する操作であるか否かを判別する（Ｓ６０２）。ここで当該タッチ操作が所定領域外である場合（Ｓ６０２のＮｏ）、コンピュータ１００は所定の処理を実行する（Ｓ６０３）。なお、ここでの所定の処理とは、タッチパネルを備えるコンピュータが一般的に実行する処理等である。つまりここでコンピュータ１００は、例えばアイコン画像に対するタッチ操作を受けた場合は当該アイコン画像に対応するアプリケーションを起動する。
【００５２】
一方Ｓ６０２において所定領域内へのタッチ操作であった場合（Ｓ６０２のＹｅｓ）、領域判別部４０１は、当該タッチ操作がタッチパネル１７０及び１８０の互いに近接する領域に対する操作であるか否かを判別する（Ｓ６０４）。ここで、互いに近接するタッチ操作であった場合（Ｓ６０４のＹｅｓ）、領域判別部４０１は当該操作がなぞり操作であるか否かを判別する（Ｓ６０５）。
【００５３】
そして、なぞり操作であった場合（Ｓ６０５のＹｅｓ）、領域判別部４０１は当該なぞり操作のタッチ領域の領域が所定の閾値以下であるか否かを判別する（Ｓ６０６）。タッチ領域の領域が閾値以下の場合（Ｓ６０６のＹｅｓ）、コンピュータ１００は画面をスクロール表示する（Ｓ６０７）。一方、Ｓ６０６においてタッチ領域の領域が閾値より大きい場合（Ｓ６０６のＮｏ）、コンピュータ１００は画面を拡大又は縮小表示する（Ｓ６０８）。
【００５４】
また、Ｓ６０５において、タッチ操作が移動することなく所定時間内にタッチパネルから離れた場合（Ｓ６０５のＮｏ）、コンピュータ１００は決定処理を実行してアプリケーションの起動等を実行する（Ｓ６０９）。
【００５５】
Ｓ６０４において、タッチ操作がタッチパネル１７０及び１８０の一方に対する操作であった場合（Ｓ６０４のＮｏ）、領域判別部４０１は、当該操作がなぞり操作であるか否かを判別する（Ｓ６１０）。そしてなぞり操作であると、コンピュータ１００はカーソル移動処理を実行して、カーソル画像が移動する動画像を表示パネル１５０及び１６０に表示する（Ｓ６１１）。
【００５６】
Ｓ６１０においてなぞり操作でなかった場合（Ｓ６１０のＮｏ）、領域判別部４０１は当該操作がタッチパネル１７０及び１８０のうち何れに対する操作であったかを判別し（Ｓ６１２）、何れのパネルへの操作であったかに応じて左クリック処理と右クリック処理とを切り替えて実行する（Ｓ６１３、Ｓ６１４）。
【００５７】
次に図７を参照して、コンピュータ１００による操作入力処理の別の処理フロー例を説明する。なお本フローは、コンピュータ１００が例えば電子書籍コンテンツを表示するプログラムを実行している際における処理フロー例である。
【００５８】
まず領域判別部４０１は、タッチパネル１７０及び１８０の少なくとも一方に対するタッチ操作を受けると（Ｓ７０１のＹｅｓ）、当該タッチ操作が所定領域内に対する操作であるか否かを判別する（Ｓ７０２）。当該タッチ操作が所定領域外である場合（Ｓ７０２のＮｏ）、コンピュータ１００は、タッチパネルを備えるコンピュータが一般的に実行するような所定の処理を実行する（Ｓ７０３）。
【００５９】
一方Ｓ６０２において所定領域内へのタッチ操作であった場合（Ｓ７０２のＹｅｓ）、領域判別部４０１は当該操作がなぞり操作であるか否かを判別する（Ｓ７０４）。そして、なぞり操作であった場合（Ｓ７０４のＹｅｓ）、領域判別部４０１はタッチパネル１７０及び１８０における当該なぞり操作のタッチ領域の面積や幅を算出する（Ｓ７０５）。そしてコンピュータ１００は、タッチパネル１７０及び１８０の夫々におけるタッチ領域の面積や幅に応じた面積で次ページ又は前ページのページ内容を表示する（Ｓ７０６）。
【００６０】
一方Ｓ７０４においてなぞり操作でなかった場合（Ｓ７０４のＮｏ）、領域判別部４０１はタッチ操作がタッチパネル１７０及び１８０の何れに対する操作であったかを判別し（Ｓ７０７）、何れのタッチパネルが操作を受けたかに応じて次ページ又は前ページの内容を示す画面を表示する（Ｓ７０９）。
【００６１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。例えば実施形態に係る電子機器は、例えば携帯電話端末等として実現されても良い。これら実施形態やその変形は、発明の範囲や要旨に含まれると同様に、特許請求の範囲に記載された発明とその均等の範囲に含まれるものである。
【符号の説明】
【００６２】
１００…コンピュータ、１１０…第１筐体、１２０…第２筐体、１３０…接続部、１４０…接続部、１５０…第１表示パネル、１６０…第２表示パネル、１７０…第１タッチパネル、１８０…第２タッチパネル、２０１…ＣＰＵ、２０２…ノースブリッジ、２０３…主メモリ、２０４…ＧＰＵ、２０５…サウスブリッジ、２０６…ＢＩＯＳ−ＲＯＭ、２０７…ＨＤＤ、２０８…エンデベッドコントローラ、２０９…タッチパネルコントローラ、２１０…電源ボタン、２１３…操作ダイアル、３３０ａ…軸部、３３０ｂ…軸部、４００…表示制御プログラム、４０１…領域判別部、４０２…制御部、４０３…ＧＵＩ生成部
【図１】
2012212230.tif 000003
【図２】
2012212230.tif 000004
【図３】
2012212230.tif 000005
【図４】
2012212230.tif 000006
【図５】
2012212230.tif 000007
【図６】
2012212230.tif 000008
【図７】
2012212230.tif 000009
【手続補正書】
【提出日】平成24年2月9日(2012.2.9)
【手続補正１】
【補正対象書類名】明細書
【補正対象項目名】０００３
【補正方法】変更
【補正の内容】
【０００３】
【特許文献１】特開２０１０−２５６９６３号公報
【手続補正書】
【提出日】平成24年6月11日(2012.6.11)
【手続補正１】
【補正対象書類名】特許請求の範囲
【補正対象項目名】全文
【補正方法】変更
【補正の内容】
【特許請求の範囲】
【請求項１】
接続部と、
前記接続部に対して第１軸部周りに回動可能に接続された第１筐体と、
前記第１筐体に設けられた第１表示部と、
前記第１表示部を覆った、タッチ操作を検出する第１検出部を含む透光性の第１透光部と、
前記接続部に対して前記第１軸部と平行な第２軸部周りに回動可能に接続された第２筐体と、
前記第２筐体に設けられた第２表示部と、
前記第２表示部を覆い、前記第１筐体及び前記第２筐体が開いた位置にある場合にタッチ操作を検出する第２検出部を含む透光性の第２透光部と、
前記接続部付近に設けられた、自機器に対する操作を行う操作領域と、
を備え、
前記第１透光部の表面と前記第２透光部の表面とは、前記第１筐体及び前記第２筐体が開いた位置にある場合に略同一平面において並ぶ、電子機器。
【請求項２】
前記第１検出部は、第１範囲に対するタッチ操作を検出し、
前記第２検出部は、前記第１範囲に近接する第２範囲に対するタッチ操作を検出し、
前記第１検出部が前記第１範囲に対するタッチ操作を検出している場合に、前記第２検出部が前記第２範囲に対するタッチ操作を検出すると、所定の処理を実行する実行手段を更に備える、請求項１記載の電子機器。
【請求項３】
前記実行手段は、前記第１範囲及び前記第２範囲のサイズに応じた前記所定の処理を実行する、請求項２記載の電子機器。
【請求項４】
前記実行手段は、前記第１範囲及び前記第２範囲のサイズが所定の閾値以上であるか否かに応じて異なる前記所定の処理を実行する、請求項３記載の電子機器。
【請求項５】
前記実行手段は、前記第１範囲及び前記第２範囲のサイズの比に応じた前記所定の処理を実行する、請求項３記載の電子機器。
【請求項６】
前記実行手段は、前記第１表示部及び前記第２表示部のうち少なくとも一方に所定の画像を表示させる前記所定の処理を実行する、請求項２記載の電子機器。
【請求項７】
前記接続部の表面は、前記第１筐体及び前記第２筐体が開いた位置にある場合に、前記第１透光部の表面と略同一平面に位置する、請求項１記載の電子機器。
【請求項８】
前記接続部は、前記表面側に操作入力を受け付ける入力部を含む、請求項７記載の電子機器。
【手続補正２】
【補正対象書類名】明細書
【補正対象項目名】０００５
【補正方法】変更
【補正の内容】
【０００５】
上記の課題を解決するために、本実施形態に係る電子機器は、接続部と、接続部に対して第１軸部周りに回動可能に接続された第１筐体と、第１筐体に設けられた第１表示部と、第１表示部を覆った、タッチ操作を検出する第１検出部を含む透光性の第１透光部と、接続部に対して第１軸部と平行な第２軸部周りに回動可能に接続された第２筐体と、第２筐体に設けられた第２表示部と、第２表示部を覆い、第１筐体及び第２筐体が開いた位置にある場合にタッチ操作を検出する第２検出部を含む透光性の第２透光部と、接続部付近に設けられた、自機器に対する操作を行う操作領域と、を備え、第１透光部の表面と第２透光部の表面とは、第１筐体及び第２筐体が開いた位置にある場合に略同一平面において並ぶ。